(57)【要約】【課題】自動ライセンスプレート読取機（ＡＬＰＲ）による識別表示の読取り性、可視光の監視カメラ等による識別表示の視認性、及びライセンスプレートの見栄えへの悪影響が少なく、偽造防止性を有する、ライセンスプレート用グラフィックフィルムを提供する。【解決手段】本開示の一実施態様によるライセンスプレート用グラフィックフィルムは、基材、及び該基材上又は上方に配置された一以上のセキュリティマークを有するマーキング層を含み、セキュリティマークは、波長６００ｎｍ〜１０００ｎｍの間の光透過率が８０％以上のイエローインクからなる。【選択図】図１
2019006313.tif 000002
【特許請求の範囲】
【請求項１】
基材、及び該基材上又は上方に配置された一以上のセキュリティマークを有するマーキング層を含むライセンスプレート用グラフィックフィルムであって、
前記セキュリティマークは、波長６００ｎｍ〜１０００ｎｍの間の光透過率が８０％以上のイエローインクからなる、ライセンスプレート用グラフィックフィルム。
【請求項２】
前記セキュリティマークの単位パターン領域の光学濃度が０．１５〜１．２０である、請求項１に記載のライセンスプレート用グラフィックフィルム。
【請求項３】
前記セキュリティマークの単位パターン領域の網点面積率が１２％〜８０％である、請求項１又は２に記載のライセンスプレート用グラフィックフィルム。
【請求項４】
識別表示が適用される識別表示領域の少なくとも１つの領域内に、少なくとも１つの前記セキュリティマークが配置される、請求項１〜３の何れか一項に記載のライセンスプレート用グラフィックフィルム。
【請求項５】
装飾層をさらに有する、請求項１〜４の何れか一項に記載のライセンスプレート用グラフィックフィルム。
【請求項６】
前記マーキング層と前記装飾層が同一面上に配置される、請求項５に記載のライセンスプレート用グラフィックフィルム。
【請求項７】
ライセンスプレートの長辺方向に沿って、前記識別表示領域を横断して、複数のセキュリティマークが一列以上配置される、請求項１〜６の何れか一項に記載のライセンスプレート用グラフィックフィルム。
【請求項８】
非再帰反射性である、請求項１〜７の何れか一項に記載のライセンスプレート用グラフィックフィルム。
【請求項９】
前記マーキング層は、インクジェット印刷層である、請求項１〜８の何れか一項に記載のライセンスプレート用グラフィックフィルム。
【発明の詳細な説明】
【技術分野】
【０００１】
本開示は、セキュリティマークを有するライセンスプレート用グラフィックフィルムに関する。
【背景技術】
【０００２】
通行する車両のライセンスプレート（ナンバープレートともいう。本開示において以下同じ。）を無人で読み取るために、路上又はその近辺に設置されるＡＬＰＲ（自動ライセンスプレート読取機、Ａｕｔｏｍａｔｅｄ  Ｌｉｃｅｎｓｅ  Ｐｌａｔｅ  Ｒｅａｄｅｒ）システムなどが従来広く用いられている。ＡＬＰＲシステムは、典型的にはカメラシステムによって車両を検知及び認識する。ＡＬＰＲシステムの使用例は、道路交通法の施行、犯罪に関係する車両の捜査、及び施設のアクセス制御である。ＡＬＰＲシステムでは、典型的には、ライセンスプレートの読み取りのために赤外線カメラが使用されるので、ライセンスプレートに赤外線が照射される。
【０００３】
米国では、図柄などの印刷画像を有する反射式ライセンスプレートが普及している。一方、日本でも、原動機付自転車用ナンバープレートとして、図柄入り非反射式又は反射式ナンバープレートが使われている。また、国土交通省は、図柄入りナンバープレートを自動車などの一般車両についても導入する計画をしていることが報道されている。
【０００４】
特許文献１（特開２０１４−０２４５３７号公報）には、基材と、セシウムタングステン酸化物を含む無色又は有色の赤外線吸収性マーキング層とを有する、ナンバープレート用シートが記載されている。また、幾つかの態様において、このマーキング層は、セキュリティマークであることが記載されている。
【先行技術文献】
【特許文献】
【０００５】
【特許文献１】特開２０１４−０２４５３７号公報
【発明の概要】
【発明が解決しようとする課題】
【０００６】
しかしながら、赤外線吸収性マーキング層を有するライセンスプレートでは、このマーキング層がＡＬＰＲシステムの赤外線カメラで視認され、ＡＬＰＲの読取り性に影響するため、識別表示等を正しく認識できない場合がある。
【０００７】
無色のマーキング層を有するライセンスプレートの場合、マーキング層を肉眼で視認することができず偽造されやすいため、盗難のおそれがある。一方、有色のマーキング層を有するライセンスプレートの場合、ＡＬＰＲの読取り性や可視光の監視カメラ等の識別表示の視認性を阻害するおそれがあり、ライセンスプレートの見栄えも悪化させる場合がある。
【０００８】
本開示は、自動ライセンスプレート読取機（ＡＬＰＲ）による識別表示の読取り性、可視光の監視カメラ等による識別表示の視認性、及びライセンスプレートの見栄えへの悪影響が少ない、偽造防止性を有する、ライセンスプレート用グラフィックフィルムを提供する。
【課題を解決するための手段】
【０００９】
本開示の一実施態様によれば、基材、及び該基材上又は上方に配置された一以上のセキュリティマークを有するマーキング層を含むライセンスプレート用グラフィックフィルムであって、セキュリティマークは、波長約６００ｎｍ〜約１０００ｎｍの間の光透過率が約８０％以上のイエローインクからなる、ライセンスプレート用グラフィックフィルムが提供される。
【発明の効果】
【００１０】
本開示によれば、セキュリティマークが、波長約６００ｎｍ〜約１０００ｎｍの間の光透過率が約８０％以上のイエローインクで形成されることによって、識別表示のＡＬＰＲによる読取り性、可視光の監視カメラ等による識別表示の視認性、及びライセンスプレートの見栄えへの悪影響が少なく、偽造防止性を有するライセンスプレート用グラフィックフィルムを提供することができる。
【００１１】
なお、上述の記載は、本発明の全ての実施態様及び本発明に関する全ての利点を開示したものとみなしてはならない。
【図面の簡単な説明】
【００１２】
【図１】本開示の一実施態様のライセンスプレート用グラフィックフィルムの概略上面図である。
【図２】図１のグラフィックフィルムの概略断面図である。
【図３】本開示の別の実施態様のライセンスプレート用グラフィックフィルムの概略断面図である。
【図４】本開示の一実施態様のライセンスプレートの概略断面図である。
【図５】本開示の別の実施態様のライセンスプレートの概略断面図である。
【図６】本開示の別の実施態様のライセンスプレートの概略断面図である。
【図７】株式会社ミマキエンジニアリング製ＪＶ５溶剤インクジェットプリンタ用純正イエローインクによる印刷層（網点面積率１００％）の透過スペクトルを示す。
【発明を実施するための形態】
【００１３】
第１の実施形態におけるライセンスプレート用グラフィックフィルムは、基材、及び該基材上又は上方に配置された一以上のセキュリティマークを有するマーキング層を含み、このセキュリティマークが、波長約６００ｎｍ〜約１０００ｎｍの間の光透過率が約８０％以上のイエローインクで形成されている。セキュリティマークを係るインクで形成することによって、識別表示のＡＬＰＲによる読取り性、可視光の監視カメラ等による識別表示の視認性、及びライセンスプレートの見栄えへの悪影響が少なく、偽造防止性を有するライセンスプレート用グラフィックフィルムを提供することができる。
【００１４】
第１の実施形態におけるライセンスプレート用グラフィックフィルムは、セキュリティマークの単位パターン領域の光学濃度を約０．１５〜約１．２０にすることができ、又は、セキュリティマークの単位パターン領域の網点面積率を約１２％〜約８０％にすることができる。このような光学濃度又は網点面積率を有するセキュリティマークを含むグラフィックフィルムを適用したライセンスプレートは、例えば、肉眼（視力１．０）で、約３ｍ離れた地点では視認できるが、約１０ｍ離れた地点からでは視認できないという性能を発揮することができる。すなわち、ライセンスプレートのグラフィックが施された場合、このグラフィック画像の画質や見栄えを実質的に阻害しない。
【００１５】
第１の実施形態におけるライセンスプレート用グラフィックフィルムは、識別表示が適用される識別表示領域の少なくとも１つの領域内に、少なくとも１つのセキュリティマークを配置することができる。このような構成にすることによって、識別表示の偽造をより防止することができる。
【００１６】
第１の実施形態におけるライセンスプレート用グラフィックフィルムは、装飾層をさらに有することができる。このような構成にすることによって、図柄等の装飾模様を有するライセンスプレートを得ることができる。
【００１７】
第１の実施形態におけるライセンスプレート用グラフィックフィルムは、マーキング層と装飾層を同一面上に配置することができる。マーキング層と装飾層を、例えば、基材の同一面上にインクジェット印刷により同時に形成することができるため、生産性を向上させることができる。
【００１８】
第１の実施形態におけるライセンスプレート用グラフィックフィルムは、ライセンスプレートの長辺方向に沿って、識別表示領域を横断して、複数のセキュリティマークを一列以上配置することができる。このような構成にすることによって、識別表示の偽造をより防止することができる。
【００１９】
第１の実施形態におけるライセンスプレート用グラフィックフィルムは、非再帰反射性であってもよい。従来の偽造防止技術では、非再帰反射性のグラフィックフィルム又はライセンスプレートに採用することは困難であったが、本開示の構成であれば、非再帰反射性であっても偽造防止性を発現させることができる。
【００２０】
第１の実施形態におけるライセンスプレート用グラフィックフィルムは、マーキング層がインクジェット印刷層であってもよい。インクジェット印刷によるマーキング層は、セキュリティマークの、形状、光学濃度、網点面積率等を調整し易いため、生産性を大幅に向上することができる。
【００２１】
以下、本発明の代表的な実施態様を例示する目的で、図面を参照しながらより詳細に説明するが、本発明はこれらの実施態様に限定されない。図面の参照番号について、異なる図面において類似する番号が付された要素は、類似又は対応する要素であることを示す。
【００２２】
本開示における用語の定義は以下のとおりである。
【００２３】
「フィルム」には「シート」と呼ばれる物品も包含される。
【００２４】
「透明」とは、対象とする特定の波長又は波長域の光の平均透過率が、約６０％以上、好ましくは約８０％以上、より好ましくは約９０％以上であることを意味する。
【００２５】
「（メタ）アクリル」とは、アクリル又はメタクリルを意味し、「（メタ）アクリレート」とは、アクリレート又はメタクリレートを意味する。
【００２６】
「再帰反射性」とは、ある材料に入射する光源からの光が反射して該光源の方向に反射する現象又は材料の特性を意味し、「非再帰反射性」とは、再帰反射性を持たない材料の特性を意味する。
【００２７】
「イエローインク」とは、図７に例示するように、４００ｎｍ〜５００ｎｍの領域の、吸収域を有するとともに、６００ｎｍ〜１０００ｎｍの間で８０％以上の光透過率を有するインクをいうものとする。なお、「イエローインクからなる」セキュリティマークとは、イエローインクのみからなるセキュリティマーク以外に、ほぼイエローインク単色で形成されているセキュリティマークも意味する。セキュリティマークの近距離（例えば約３ｍ）での視認性及び遠距離（例えば約１０ｍ）での非視認性にほとんど影響を与えない範囲で、セキュリティマークにおいて網点面積率数％程度以下でシアンインクやマゼンタインク等がある場合や、イエローインク中に他の色のインクや不純物等が混在する場合も含まれるものとする。
【００２８】
本開示の一実施態様のライセンスプレート用グラフィックフィルムは、少なくとも、基材、及び該基材上又は上方に配置された一以上のセキュリティマークを有するマーキング層を含む。
【００２９】
本開示の一実施態様のライセンスプレート用グラフィックフィルムの概略上面図を図１に、概略断面図を図２に示す。グラフィックフィルム１０は、基材１２上に配置された装飾層１４及びマーキング層１５を有する。図１には、点線で囲まれた矩形の識別表示領域２４、及び点線で輪郭を縁取られた識別表示２６が点線で示されている。識別表示領域２４には、目視で確認できるような識別表示のための枠線、着色などは一般に施されていない。識別表示２６はグラフィックフィルム１０には未だ付与されておらず、一般にライセンスプレートの製造時に付与される。
【００３０】
識別表示は、ライセンスプレート上に車両識別の目的で表示される文字のセットである。識別表示を構成する文字のセットは、ライセンスプレートの管轄地域により様々である。例えば日本国においては、識別表示は、地名、分類番号、平仮名、及び４桁の数字の組合せである。
【００３１】
識別表示領域は、ＡＬＰＲによる識別表示の識別に必要な領域であり、ＡＬＰＲの車両及びライセンスプレート検知システム、赤外線カメラの撮影条件及び分解能、ライセンスプレート認識アルゴリズム、ＯＣＲソフトウェアなどによって、その領域の大きさ及び形状は変化しうる。
【００３２】
一実施態様では、識別表示領域は、ライセンスプレートの管轄地域における法規制に従って規定される識別表示の配置領域である。別のいくつかの実施態様では、識別表示領域は、識別表示の配置領域の外縁から外側に、例えば約０．１ｍｍ以上、約０．５ｍｍ以上、又は約１ｍｍ以上、約５ｍｍ以下、約３ｍｍ以下、又は約２ｍｍ以下の距離で位置する輪郭線によって囲まれる領域として定義される。例えば日本国においては、道路運送車両法施行規則の第１号様式にライセンスプレートの識別表示の配置領域が規定されており、地名及び平仮名は縦４０ｍｍ×横４０ｍｍの正方形領域に、４桁の数字は縦８０ｍｍ×横４０ｍｍ又は縦１２０ｍｍ×横６０ｍｍの矩形領域に、それぞれ１文字ずつ配置される。上記様式では数字の輪郭の一部が識別表示の配置領域の外縁に接することから、識別表示領域は、識別表示の配置領域の外縁から外側に、例えば約０．１ｍｍ以上、又は約０．５ｍｍ以上、約３ｍｍ以下、又は約２ｍｍ以下の距離で位置する輪郭線によって囲まれる領域として定義することができる。識別表示の配置領域が文字に対して十分大きい場合、文字の全体が識別表示領域に包含されていることを条件として、識別表示領域を、識別表示の配置領域の外縁から内側に、例えば約０．１ｍｍ以上、約０．５ｍｍ以上、又は約１ｍｍ以上、約５ｍｍ以下、約３ｍｍ以下、又は約２ｍｍ以下の距離で位置する輪郭線によって囲まれる領域として定義することもできる。このように識別表示の配置領域を基準として識別表示領域を定義することにより、一種類のグラフィックフィルムを、同じライセンスプレートの管轄地域において異なる識別表示を有するライセンスプレートに適用することができる。
【００３３】
別のいくつかの実施態様では、識別表示領域を、識別表示の文字の輪郭から外側に、例えば約０．１ｍｍ以上、約０．５ｍｍ以上、又は約１ｍｍ以上、約５ｍｍ以下、約３ｍｍ以下、又は約２ｍｍ以下の距離で位置する輪郭線によって囲まれる領域として定義される。
【００３４】
さらに別のいくつかの実施態様では、識別表示領域を、ある文字に対しては上記のように識別表示の配置領域とする、又は識別表示の配置領域を基準とした輪郭線によって定義し、一方で別の文字に対しては上記のように文字の輪郭から外側に位置する輪郭線によって囲まれる領域として定義してもよい。
【００３５】
グラフィックフィルムの基材として、例えば、ライセンスプレート用途に適した物性を有する、従来公知の種々のポリマーシートを用いることができる。ポリマーとして、ポリウレタン、（メタ）アクリル樹脂、ポリエステル、ポリオレフィン、塩化ビニル樹脂、塩化ビニル−酢酸ビニル樹脂、ポリカーボネート、ポリイミド、ポリアミド、ポリエステル−アミド、又はそれらの組合せなどを挙げることができる。基材は複数の材料の積層体であってもよい。
【００３６】
いくつかの実施態様において、基材は、塩化ビニル樹脂、塩化ビニル−酢酸ビニル樹脂、（メタ）アクリル樹脂、又はそれらの組合せを含む。これらのポリマーは画像受容性に優れており、基材上に高品質の印刷画像を形成することができる。
【００３７】
いくつかの実施態様において、基材は、ライセンスプレートの製造に際し、クラック又は浮き上がりが生じ難い材質であること、すなわち、エンボス部又はデボス部の変形形状への追従性に十分な可とう性及び延伸性を有することが好ましい。この観点から好ましいポリマーとして、塩化ビニル樹脂、塩化ビニル−酢酸ビニル樹脂、ポリウレタン、（メタ）アクリル樹脂、ポリオレフィンなどを挙げることができる。
【００３８】
基材は、例えば、酸化チタン、酸化亜鉛などの白色顔料を含んでもよく、これらの白色顔料を含むコーティングを有してもよい。白色顔料を含む基材、又は白色顔料を含むコーティングを有する基材を用いることにより、ベースプレートの地色を隠蔽してより鮮明な印刷画像を提供することができるとともに、イエローインクを含むセキュリティマークの近距離（例えば約３ｍ）での視認性及び遠距離（例えば約１０ｍ）での非視認性といった作用効果を発現させやすくなる。白色の基材としては、自動車番号標用標準限界色票（一般財団法人日本色彩研究所等製作）やＩＳＯ７５９１：１９８２に規定される色の範囲の基材が使用できる。
【００３９】
基材は必要に応じて、例えば酸化防止剤、紫外線吸収剤、光安定剤、熱安定剤、可塑剤、滑材、帯電防止剤、難燃剤、充填剤などの従来公知の添加剤を含んでもよい。
【００４０】
いくつかの実施態様において、基材は非再帰反射性であってもよく、係る基材を備えるグラフィックフィルム及びライセンスプレートは非再帰反射性を呈することができる。非再帰反射性基材は、ペイント式ライセンスプレートの読取り用に調整されたＡＬＰＲによる識別表示の良好な識別性という観点から有利である。
【００４１】
非再帰反射性基材として、一又は複数の上記ポリマーを用いて形成されたシート、一又は複数の上記ポリマーとフッ素樹脂を組み合わせて含むシートなどが挙げられる。
【００４２】
いくつかの実施態様において、基材は再帰反射性であってもよく、係る基材を備えるグラフィックフィルム及びライセンスプレートは再帰反射性を呈することができる。再帰反射性基材は、夜間の少ない光の下又は離れた距離などでのライセンスプレートの視認性が良好である点で有利である。再帰反射性基材としては、従来公知の種々の再帰反射性シートを使用できる。例えば、光透過性のビーズ又はキューブコーナーなどの再帰反射性要素、及び必要に応じて反射層を有するシートなどが例示される。再帰反射性シートとして、例えば、特許第２６４２０９９号公報、特許第２７８８０３０号公報、特許第２９６０４７８号公報、特許第３０３８２１８号公報、特許第３５９４９６９号公報、特表２０００−５０６６２３号公報及び特表２０００−５０８４３４号公報に記載されたようなシートを使用することができる。
【００４３】
基材の再帰反射性について、観測角０．２度、入射角５度における再帰反射係数（ＪＩＳ  Ｚ  ９１１７に準拠する）は少なくとも約１ｃｄ／ｌｘ／ｍ２である。ある好適な実施態様では、再帰性反射シートの再帰反射係数は約４５ｃｄ／ｌｘ／ｍ２以上、又は約５０ｃｄ／ｌｘ／ｍ２以上である。例えば、ＩＳＯ７５９１：１９８２に規定される白については、約４５ｃｄ／ｌｘ／ｍ２以上、黄については約３０ｃｄ／ｌｘ／ｍ２以上であることが望ましい。ＪＩＳ  Ｚ  ９１１７の封入レンズ型タイプ１−Ｂ−ｂである場合、白については約３５ｃｄ／ｌｘ／ｍ２以上、黄については約２５ｃｄ／ｌｘ／ｍ２以上、赤については約１０ｃｄ／ｌｘ／ｍ２以上、黄赤については約１３ｃｄ／ｌｘ／ｍ２以上、緑については約５ｃｄ／ｌｘ／ｍ２以上、青については約３ｃｄ／ｌｘ／ｍ２以上であることが望ましい。
【００４４】
ライセンスプレートが非再帰反射性であるか、再帰反射性であるかによって、通常はＡＬＰＲの読取りの設定又はグラフィックフィルムの設計を変更する必要がある。しかしながら、本開示のグラフィックフィルムは、非再帰反射性基材及び再帰反射性基材のいずれを用いた場合であっても、ＡＬＰＲシステムに対する良好な識別性をライセンスプレートに付与することができる。
【００４５】
基材の厚さは、ライセンスプレートの耐久性の観点から、約１５μｍ以上、約３０μｍ以上、又は約４５μｍ以上であることが好ましく、ライセンスプレートにエンボス部又はデボス部を形成する場合、変形形状への追従性の観点から、約３００μｍ以下、約２５０μｍ以下、又は約２２０μｍ以下であることが好ましい。
【００４６】
基材の破断強度は、良好な耐久性の観点から、好ましくは約５Ｎ／２５ｍｍ以上、約１０Ｎ／２５ｍｍ以上、又は約２０Ｎ／２５ｍｍ以上であり、製造容易性の観点から、好ましくは約２００Ｎ／２５ｍｍ以下、約１７５Ｎ／２５ｍｍ以下、又は約１５０Ｎ／２５ｍｍ以下である。本開示において、破断強度はＪＩＳ  Ｚ  ０２３７に準拠して測定される値である。
【００４７】
基材の伸びは、エンボス加工又はデボス加工時のクラックの発生の防止、及びベースプレートからの浮き上がり防止の観点から、好ましくは、約３０％以上、又は約３５％以上であり、良好な機械強度の観点から、好ましくは約４００％以下、又は約３５０％以下である。本開示において、伸びはＡＳＴＭ試験法Ｄ８８２−８０ａに準拠して測定される値である。
【００４８】
基材として種々の市販品を使用することができる。例えば、基材として印刷画像の形成に適したグラフィックフィルムなどを有利に使用することができる。市販のグラフィックフィルムの例として、３Ｍ（登録商標）コントロールタック（登録商標）グラフィックフィルムＩＪ１８０−１０（３Ｍ社）、３Ｍ（登録商標）スコッチカル（登録商標）グラフィックフィルムＩＪ５３３１及びＲＧ５３３３Ｒ（３Ｍ社）などが挙げられる。
【００４９】
市販の再帰反射性フィルムの例として、例えば３Ｍ（登録商標）反射シートＢＲ１９０５００、３Ｍ（登録商標）Ｐｒｅｃｌｅａｒ  Ｒｅｆｌｅｃｔｉｖｅ  Ｌｉｃｅｎｓｅ  Ｐｌａｔｅ  Ｓｈｅｅｔｉｎｇ  ４７５０及び４７７０、３Ｍ（登録商標）Ｈｉｇｈ  Ｄｅｆｉｎｉｔｉｏｎ  Ｌｉｃｅｎｓｅ  Ｐｌａｔｅ  Ｓｈｅｅｔｉｎｇ  Ｓｅｒｉｅｓ  ６７００（３Ｍ社）などが挙げられる。
【００５０】
グラフィックフィルムのマーキング層はセキュリティマークを有し、係るセキュリティマークは、波長約６００ｎｍ〜約１０００ｎｍの間の光透過率が約８０％以上のイエローインクによって形成される。セキュリティマークが係るイエローインクを所定量含むマーク形成用インクで形成されることによって、ライセンスプレートの識別表示のＡＬＰＲによる読取り性、可視光の監視カメラ等による識別表示の視認性、及びライセンスプレート、特に、以下で説明する、図柄等を含む装飾層の見栄えへの悪影響が少なく、偽造防止性を発現することができる。このような性能を阻害しない範囲で、セキュリティマークを形成するインクには、イエローインク以外に、他のインクを混合することもできる。例えば、セキュリティマークの近距離（例えば約３ｍ）での視認性及び遠距離（例えば約１０ｍ）での非視認性といった作用効果を発揮する範囲において、網点面積率数％程度のシアンインクやマゼンタインクを混ぜてもよい。セキュリティマークの近距離（例えば約３ｍ）での視認性及び遠距離（例えば約１０ｍ）での非視認性をより向上させる観点から、セキュリティマークはイエローインクのみから形成されていることが好ましい。セキュリティマークはイエローインクの単一色で形成されることが望ましいが、わずかにマゼンタインクや他の色のインクが混在していてもよい。マーク形成用インクは一般に、対応する色の顔料又は染料と、バインダー又はビヒクルとを含み、必要に応じてさらに水、有機溶剤、分散剤、硬化剤、酸化防止剤、紫外線吸収剤、光安定剤、熱安定剤、可塑剤、フロー向上剤、レベリング剤、帯電防止剤、難燃剤などを含んでもよい。
【００５１】
セキュリティマークを有するマーキング層は、上述したマーク形成用インクを用い、基材又は下記に示す保護層に、グラビア印刷、スクリーン印刷、オフセット印刷、静電印刷、インクジェット印刷、熱転写印刷などの印刷技術を用いて印刷することにより形成することができる。様々なセキュリティマークに対応するマーク画像データに基づいて小さいロット単位でもセキュリティマークを基材又は保護層に簡便に印刷できることから、インクジェット印刷を用いることが有利である。インクジェット印刷に使用されるプリンタとして、溶剤インクジェットプリンタ、ＵＶインクジェットプリンタなどが挙げられる。
【００５２】
インクジェット印刷用のインクとしては、例えば、株式会社ミマキエンジニアリング製ＪＶ５溶剤インクジェットプリンタ用純正インク、株式会社セイコーアイ・インフォテック社製ＣｏｌｏｒＰａｉｎｔｅｒ  Ｈ２−１０４Ｓ溶剤インクジェットプリンタ用純正インク、株式会社ミマキエンジニアリング製ＵＪＶ５００−１６０ＵＶインクジェットプリンタ用純正インクなどを使用することができる。一例として、３Ｍ（登録商標）スコッチカル（登録商標）グラフィックフィルムＲＧ５３３３Ｒに、株式会社ミマキエンジニアリング製ＪＶ５溶剤インクジェットプリンタ及びこのプリンタ用の純正イエローインクを使って、イエロー（Ｙ）の網点面積率１００％の領域を印刷し、株式会社島津製作所製ＳｏｌｉｄＳｐｅｃ−３７００分光光度計を用いて測定したインクの透過スペクトルを図７に示す。
【００５３】
セキュリティマークは、偽造防止効果を発揮し得るマークであれば如何なるものであってもよく、次のものに限定されないが、例えば、数字、図形、図柄、ロゴ、バーコード、２次元コード（例えばＱＲコード（登録商標））、国旗、国章、都道府県旗、都道府県章、市町村旗、市町村章などの１種以上を使用することができる。例えば、ライセンスプレートにおけるナンバー等の情報を提供し得るＱＲコード（登録商標）のみを採用してもよく、又はＱＲコード（登録商標）と図柄等のマークを併用してもよい。以下で説明する装飾層も図柄等を含み得るが、遠距離、例えば約１０ｍ離れた地点から肉眼（視力１．０）でマークを観察した場合、マーキング層の方は、マークの大きさ又は形状に関わらず、上記インクから形成されているため視認することはできないが、装飾層の方は、視認させることを目的とするため視認することができる。したがって、たとえ同一の図柄であっても、この観点からマーキング層と装飾層とを区別することができる。
【００５４】
セキュリティマークのサイズは、肉眼での視認性、それに伴う偽造防止の要求性能等に応じ適宜設定することができ、次のものに限定されないが、近距離、例えば約３ｍ離れた地点から肉眼（視力１．０）でマークを観察した場合にセキュリティマークを視認可能とするには、セキュリティマークのサイズとしては、係るマークの外周と接する最大の矩形領域の面積を、約９ｍｍ２以上、約１６ｍｍ２以上、又は約２５ｍｍ２以上にすることができる。
【００５５】
セキュリティマークは、セキュリティマークの単位パターン領域の光学濃度を、約０．１５以上、約０．２０以上、又は約０．２５以上、約１．２０以下、約１．１０以下、又は約１．００以下にすることができる。ここで「セキュリティマークの単位パターン領域」とは、マークの外周と接する最大の矩形領域（以下、「最大矩形領域」という場合がある。）の面積を意味する。なお、ここで矩形領域の縦辺及び横辺は、ライセンスプレートの短辺及び長辺に平行な辺とする。組み合わさって一概念として成立するマークの場合、例えば、複数の花が組み合わさったリングのようなマークの場合には、個々の花を単位パターン領域として設定するのではなく、複数の花を備えるリング全体を単位パターン領域として設定し、例えば、「３Ｍ」というロゴマークの場合には、「３」又は「Ｍ」の個々の文字を単位パターン領域として設定するのではなく、「３Ｍ」を１単位として単位パターン領域を設定することができる。組み合わさって一概念を有しない、文字、記号、図形、図柄等のマークの単なるランダムな羅列の場合には、個々のマークを単位パターン領域として設定することができる。このような光学濃度を有するセキュリティマークは、例えば、肉眼（視力１．０）で、約３ｍ離れた地点では視認できるが、約１０ｍ離れた地点からでは視認できないという性能を発揮することができる。光学濃度は、背景色を基準とした光学濃度であり、濃度計又は分光光度計などによって測定することができる。単位パターン領域が計測器の測定領域を超える大きさの場合には、単位パターン領域を測定領域の範囲内に適宜分割し、その平均値から光学濃度を算出することができる。
【００５６】
あるいは、セキュリティマークを例えばインクジェット印刷により形成する場合、係るマークは所定サイズの網点（ドット）の集合体として形成することができる。このマークを構成する網点（ドット）の集合体は、下記で説明する網点面積率で数値化することができるため、矩形以外の形状のマークの場合には、係るマークの網点面積率に基づき、幅１ｃｍ×高さ１ｃｍの矩形を作成し、その矩形の光学濃度を「セキュリティマークの単位パターン領域の光学濃度」とすることもできる。
【００５７】
セキュリティマークは、セキュリティマークの単位パターン領域の網点面積率を、約１２％以上、約１５％以上、又は約２０％以上、約８０％以下、約７５％以下、又は約７０％以下にすることができる。ここで「セキュリティマークの単位パターン領域の網点面積率」とは、上記の最大矩形領域に含まれるマーク形成用インクの網点（ドット）の面積割合として定義することができる。このような網点面積率を有するセキュリティマークは、例えば、肉眼（視力１．０）で、約３ｍ離れた地点では視認できるが、約１０ｍ離れた地点からでは視認できないという性能を発揮することができる。グラフィックフィルム上に印刷されたセキュリティマークにおけるインクの網点面積率は、最大矩形領域を光学顕微鏡で拡大（例えば１００倍）した画像について、Ａｄｏｂｅ  Ｉｌｌｕｓｔｒａｔｏｒ（登録商標）又はＡｄｏｂｅ  Ｐｈｏｔｏｓｈｏｐ（登録商標）などの画像処理ソフトを使って、画像全体のピクセル数に対するインクのピクセル数の比率を計算し、別の領域又は部分に対して上記操作を繰り返すことにより決定することができる。また、Ａｄｏｂｅ  Ｉｌｌｕｓｔｒａｔｏｒ（登録商標）又はＡｄｏｂｅ  Ｐｈｏｔｏｓｈｏｐ（登録商標）などの画像処理ソフトにより、ｅｐｓ形式などの印刷データを開いて網点面積率を確認することができる。
【００５８】
セキュリティマークの単位パターン領域が、係る光学濃度又は網点面積率の範囲内であったとしても、上述したマーク形成用インク以外のインク、例えば、グリーン又はブルーのインクからなるセキュリティマークでは、セキュリティマークの近距離（例えば約３ｍ）での視認性及び遠距離（例えば約１０ｍ）での非視認性に悪影響を及ぼす。
【００５９】
本開示のグラフィックフィルムは、識別表示が適用される識別表示領域の少なくとも１つの領域内に、少なくとも１つのセキュリティマークを配置することができる。盗難されたライセンスプレートは、識別表示領域内の識別表示を切り抜き、それを他の盗難プレートの識別表示領域内に貼り合わせて使用される場合があるため、少なくとも１つのセキュリティマークを係る構成で配置することにより、ライセンスプレートの偽造を容易に判別することができる。ここで「識別表示領域の少なくとも１つの領域内に配置する」とは、識別表示領域よりも内部にセキュリティマークが配置されることに限らず、例えば、図１の「１」の識別表示領域２４のように、セキュリティマークを有するマーキング層１５が識別表示領域２４に接触している場合も包含する。盗難防止の観点から、２つ以上、３つ以上、又は全ての識別表示領域内に（但し、下記で説明する装飾層が識別表示領域全体を覆っている場合には、この覆われた識別表示領域を除く全ての識別表示領域内に）、少なくとも１つのセキュリティマークが配置されることが好ましい。
【００６０】
本開示のグラフィックフィルムは、ライセンスプレートの長辺方向に沿って、識別表示領域を横断して、複数のセキュリティマークを一列以上配置することができる。係る構成は、盗難防止性をより向上させることができる。ここで「識別表示領域を横断して」とは、ライセンスプレートの長辺方向の少なくとも２つの識別表示領域を横断することを意図し、例えば、図１では、セキュリティマークの長辺方向の列が、識別表示領域２４を横断して六列形成されている。盗難防止の観点から、全ての識別表示領域（但し、下記で説明する装飾層が識別表示領域全体を覆っている場合には、この覆われた識別表示領域を除く全ての識別表示領域）を横断するように、一列以上のセキュリティマークが形成されていることが好ましい。
【００６１】
セキュリティマークを有するマーキング層の厚さは様々であってよく、一般に、溶剤系インクを用いた場合は、約１μｍ以上、又は約２μｍ以上、約８μｍ以下、又は約５μｍ以下である。ＵＶ系インクを用いた場合は、約１μｍ以上、又は約５μｍ以上、約５０μｍ以下、又は約３０μｍ以下とすることができる。
【００６２】
グラフィックフィルムの装飾層は、ライセンスプレートに装飾性、意匠性、識別性などを付与する。例えば、装飾層は、ライセンスプレートの識別表示以外の背景部分に図柄、パターンなどを付与することができ、又は図１に示されるように、ライセンスプレートの識別表示と重なるように付与することができる。装飾層は、基材又は下記に示す保護層にインク、トナーなどの着色剤を、グラビア印刷、スクリーン印刷、オフセット印刷、静電印刷、インクジェット印刷、熱転写印刷などの印刷技術を用いて印刷することにより形成することができる。様々な画像に対応する印刷画像データに基づいて小さいロット単位でも装飾層を基材又は保護層に簡便に印刷でき、屋外耐候性を有するフルカラー印刷画像が得られることから、インクジェット印刷又は熱転写印刷を用いることが有利である。インクジェット印刷に使用されるプリンタとして、溶剤インクジェットプリンタ、ＵＶインクジェットプリンタなどが挙げられる。熱転写印刷に使用されるプリンタとして、熱溶融型熱転写プリンタ、昇華型熱転写プリンタなどが挙げられる。
【００６３】
インクジェット印刷、熱転写印刷などの印刷インクは、一般にシアン（Ｃ）インク、マゼンタ（Ｍ）インク、イエロー（Ｙ）インク、及びブラック（Ｋ）インクの４色インクセットとして提供されてフルカラー印刷を可能にする。ハイライトの再現性を高めるために、これらの４色に、ライトシアンインク及びライトマゼンタインクを加えた６色インクセット、又はさらにグレーインク若しくはダークイエローインクを加えた７色インクセットが用いられる場合もある。これらのインクは従来公知であり、一般にそれぞれ対応する色の顔料又は染料と、バインダー又はビヒクルとを含み、必要に応じてさらに水、有機溶剤、分散剤、硬化剤、酸化防止剤、紫外線吸収剤、光安定剤、熱安定剤、可塑剤、フロー向上剤、レベリング剤、帯電防止剤、難燃剤などを含んでもよい。
【００６４】
インクジェット印刷インクとして、例えば、株式会社ミマキエンジニアリング製ＪＶ５溶剤インクジェットプリンタ用純正インク、株式会社セイコーアイ・インフォテック社製ＣｏｌｏｒＰａｉｎｔｅｒ  Ｈ２−１０４Ｓ溶剤インクジェットプリンタ用純正インク、株式会社ミマキエンジニアリング製ＵＪＶ５００−１６０ＵＶインクジェットプリンタ用純正インクなどを使用することができる。熱転写印刷インクとして、例えば、３Ｍ（登録商標）スコッチマスター（商標）エッジＩＩシステム（熱転写プリンタ）用インクセットなどを使用することができる。
【００６５】
装飾層の厚さは様々であってよく、一般に、溶剤系インクを用いた場合は、約１μｍ以上、又は約２μｍ以上、約８μｍ以下、又は約５μｍ以下である。ＵＶ系インクを用いた場合は、約１μｍ以上、又は約５μｍ以上、約５０μｍ以下、又は約３０μｍ以下とすることができる。
【００６６】
グラフィックフィルムは、マーキング層、装飾層又は基材を被覆して各種汚染等から保護するための保護層をさらに有してもよい。保護層としては様々な樹脂フィルムを使用することができる。例えば、保護層に好適に使用される樹脂として、塩化ビニル樹脂、塩化ビニル−酢酸ビニル樹脂、ポリウレタン、（メタ）アクリル樹脂、ポリオレフィン、これらの組合せなどを挙げることができる。保護層は、マーキング層及び装飾層の視認性及びＡＬＰＲの識別性に影響を与えないように可視光及び赤外光に対して透明であることが好ましい。
【００６７】
保護層の厚さは様々であってよく、一般に、約４０μｍ以上、約５０μｍ以上、又は約６０μｍ以上、約２００μｍ以下、約１５０μｍ以下、又は約１００μｍ以下とすることができる。
【００６８】
基材と保護層との間に必要に応じて接合層を配置してもよい。接合層は、従来知られている接着剤から形成することができ、被接合物の材質に応じて適宜選択される。接着剤として、例えば（メタ）アクリル樹脂、エポキシ樹脂、ポリエステルなどをベースとする接着剤を使用することができる。接合層は、マーキング層及び装飾層の視認性及びＡＬＰＲの識別性に影響を与えないように可視光及び赤外光に対して透明であることが好ましい。
【００６９】
接合層の厚さは様々であってよく、一般に、約１０μｍ以上、又は約２０μｍ以上、約２００μｍ以下、又は約１００μｍ以下とすることができる。
【００７０】
図３に本開示の別の実施態様のライセンスプレート用グラフィックフィルムとして概略断面図で示されるグラフィックフィルム１０は、装飾層１４、マーキング層１５及び基材１２を被覆する保護層１６と、装飾層１４、マーキング層１５及び基材１２と保護層１６との間に配置された接合層１８とを含む。
【００７１】
グラフィックフィルムは、ライセンスプレートのベースプレートに接着させるための接着層を有してもよい。接着層に好適に使用することができる接着剤として、架橋され可塑化された（メタ）アクリル系感圧接着剤又はホットメルトの感圧接着剤が挙げられる。天然ゴム、合成ゴム、シリコーン又は他のポリマーをベースとし、必要に応じて粘着付与剤、酸化防止剤、紫外線吸収剤、可塑剤などの添加剤を含む、他の感圧接着剤を使用することもできる。本開示において「感圧接着剤」とは、軽い圧力で様々な表面に接着し、相変化（液体から固体へ）を呈さない接着剤を指す。接着剤は架橋剤によって熱架橋又は放射線（例えば電子線ビーム又は紫外線）で架橋されたものでもよい。
【００７２】
接着層の厚さは様々であってよく、一般に、約３０μｍ以上、約４０μｍ以上、又は約５０μｍ以上、約１５０μｍ以下、約９０μｍ以下、又は約６０μｍ以下とすることができる。
【００７３】
グラフィックフィルムは、接着層を保護するライナーをさらに有してもよい。ライナーとして、例えば、紙；ポリエチレン、ポリプロピレン、ポリエステル、酢酸セルロースなどのプラスチック材料；このようなプラスチック材料で被覆された紙などを挙げることができる。これらのライナーは、シリコーンなどにより剥離処理した表面を有してもよい。ライナーの厚さは、一般に、約５μｍ以上、約１５μｍ以上又は約２５μｍ以上、約３００μｍ以下、約２００μｍ以下又は約１５０μｍ以下である。
【００７４】
本開示の一実施態様のライセンスプレートは、ベースプレートと、ベースプレートの上に取り付けられた上記グラフィックフィルムと、グラフィックフィルムの識別表示領域の内部に配置された識別表示とを備える。
【００７５】
ライセンスプレートのベースプレートとして、一般に金属板又は樹脂板を使用することができる。金属板として、アルミニウム板、ステンレス板、鉄板などが挙げられる。樹脂板として、ポリカーボネート板、ポリエステル板、塩化ビニル板などが挙げられる。必要に応じて、これらの板材をフレームなどの形状に成形加工してもよい。
【００７６】
ベースプレートへのグラフィックフィルムの取り付けは、グラフィックフィルムが有する接着層を介して、又は接着剤をグラフィックフィルムとベースプレートの間に塗布して、ベースプレートとグラフィックフィルムを接着することにより行うことができる。
【００７７】
ベースプレートにグラフィックフィルムを取り付けて形成した積層体を、例えばブランクプレスダイなどを用いて所望の大きさにブランクプレスして切り出してもよい。
【００７８】
識別表示は、インクジェット印刷、ロールコーティングなどを用いて、グラフィックフィルムの識別表示領域の内部に、例えば顔料及びバインダー樹脂を含むインク組成物を適用して着色層を形成することにより、ライセンスプレートに配置することができる。識別表示の輪郭に合わせて形成されたエンボス部又はデボス部にインク組成物を適用して着色層を形成してもよい。エンボス部又はデボス部の形成は、一般にベースプレートにグラフィックフィルムを取り付けて積層体を形成した後、積層体を雄雌ダイに挟んでプレス機で加圧することによって行うことができる。このときに、ライセンスプレートの辺縁部にフレーム部を形成してもよい。フレーム部はライセンスプレートの変形を防止するための強度をライセンスプレートに付与することができる。エンボス部、デボス部又はフレーム部の深さは、一般にそれぞれ約１ｍｍ以上、約２ｍｍ以下であるが、この範囲に限定されない。一実施態様では、識別表示がライセンスプレートのエンボス部上に配置されている。
【００７９】
識別表示を表示する着色層の厚さは様々であってよく、一般に、約５μｍ以上、約６μｍ以上、又は約８μｍ以上、約３０μｍ以下、約２５μｍ以下、又は約２０μｍ以下とすることができる。
【００８０】
ライセンスプレートは識別表示を表示する着色層を保護するクリアコートをさらに有してもよい。クリアコートは従来公知の種々のクリアコート剤をライセンスプレートに塗布又は噴霧し、必要に応じて乾燥又は硬化することにより形成することができる。
【００８１】
本開示の一実施態様のライセンスプレートとして図４に概略断面図で示されるライセンスプレート２０は、接着層１９を介してベースプレート２２に取り付けられた、基材１２、装飾層１４、マーキング層１５、接合層１８及び保護層１６を備えるグラフィックフィルムを含み、エンボス部上に識別表示２６が配置されている。装飾層１４及びマーキング層１５は、基材１２の同一面上に、例えばインクジェット印刷により同時に形成することができる。この実施態様の変形例として、装飾層１４及びマーキング層１５を、基材１２の下側（接着層１９側）、又は保護層１６の下側（接合層１８側）及び／若しくは上側（識別表示２６側）の同一面上に形成することもできる。図４では、装飾層１４及びマーキング層１５が間隔をあけて形成されているが、一部重なるように形成されていてもよい。
【００８２】
本開示の別の実施態様のライセンスプレートとして図５及び図６に概略断面図で示されるライセンスプレート２０は、図４における装飾層１４及びマーキング層１５の配置の変形例であり、装飾層１４及びマーキング層１５が各々異なる面に配置されている。図５では、装飾層１４が基材１２上に形成され、マーキング層１５が保護層１６の下側に形成されているが、装飾層１４は基材１２の下側に形成されていてもよく、装飾層１４及びマーキング層１５は逆の配置であってもよい。図６では、装飾層１４が基材１２上に形成され、マーキング層１５が保護層１６の上側に形成されているが、装飾層１４は基材１２の下側に形成されていてもよく、装飾層１４及びマーキング層１５は逆の配置であってもよい。図５、図６で示されるような構成であれば、例えば、装飾層１４及びマーキング層１５を別々の部材にインクジェット印刷、グラビア印刷等の種々の印刷手段によって形成しておくことができるため、装飾層を備える部材とマーキング層を備える部材とを適宜組み合わせて使用することができる。図５及び図６では、ライセンスプレートを上方から視認した場合、装飾層１４及びマーキング層１５が一部重なるように配置されているが、図４に示されるように両層を重ならないように配置してもよい。
【００８３】
グラフィックフィルムが装飾層及びマーキング層を各々複数有する場合には、装飾層及びマーキング層は上述した配置を適宜組み合わせて採用することもできる。
【００８４】
本開示のライセンスプレート用グラフィックフィルムを含むライセンスプレートは、ＡＬＰＲに適合したライセンスプレートとして使用することができる。
【実施例】
【００８５】
以下の実施例において、本開示の具体的な実施態様を例示するが、本発明はこれに限定されるものではない。部及びパーセントは全て、特に明記しない限り質量による。
【００８６】
［ＡＬＰＲ読み取り試験］
＜例１＞
Ａｄｏｂｅ  Ｉｌｌｕｓｔｒａｔｏｒ（登録商標）上で、登録番号「多摩  ５９９  あ  ４２−４９」をブラック（Ｋ）の網点面積率を１００％として描き、幅２０ｍｍ×高さ２０ｍｍのセキュリティマークとしての矩形を平仮名「あ」の左側に配置した。描いた矩形をイエロー（Ｙ）の網点面積率８０％の設定で塗り、ｅｐｓ形式の印刷画像データを生成した。印刷画像データを、株式会社ミマキエンジニアリング製ＪＶ５溶剤インクジェットプリンタ及びその純正インクを使って、３Ｍ（登録商標）スコッチカル（登録商標）グラフィックフィルムＩＪ５３３１（ポリ塩化ビニル製の白色不透明フィルム）に印刷画像データの指定色どおりに印刷した。印刷したグラフィックフィルムを幅３３０ｍｍ×高さ１６５ｍｍのアルミニウム板に貼り、さらにその全面に保護層として３Ｍ（登録商標）スコッチカル（登録商標）グラフィックフィルムＲＧ５３３３Ｒを貼り、余分なグラフィックフィルム部分をカットして例１のライセンスプレートを作製した。背景色を基準とした矩形のイエローの光学濃度について、分光光度計ＳＰＭ５０（グレタグマクベス社製）を用いてＤＩＮ  ＮＢフィルタに設定して測定した結果、１．１１であった。例１のライセンスプレートについて、ＡＬＰＲ（株式会社エイテック製可搬式ナンバープレート自動観測装置ＯＣ−ｉ  ＳＹＳＴＥＭ）を用いて登録番号の読み取り試験を行ったところ、登録番号を正しく読み取ることができた。
【００８７】
＜比較例１＞
アミノ基を含有する（メタ）アクリル系ポリマーとして、アクリル樹脂１（メチルメタクリレート（ＭＭＡ）／ブチルメタアクリレート（ＢＭＡ）／ジメチルアミノエチルメタクリレート（ＤＭＡＥＭＡ）の組成比が６０：３４：６（質量比）であり、重量平均分子量（Ｍｗ）が約７万であり、Ｔｇが約６６℃であり、酢酸エチル溶液として提供）を準備した。さらに、カルボキシル基を含有する（メタ）アクリル系ポリマーとして、アクリル樹脂２（ブチルアクリレート（ＢＡ）／２エチルヘキシルアクリレート（２ＥＨＡ）／酢酸ビニル（Ｖａｃ）／アクリル酸（ＡＡ）の組成比が４０：４７：８：５（質量比）であり、Ｔｇが約−５１℃であり、Ｍｗが約５５万であり、酢酸エチル溶液として提供）を準備した。アクリル樹脂１およびアクリル樹脂２の混合比を、アクリル樹脂１が１００質量部（固形分質量基準）、アクリル樹脂２が７０質量部（固形分質量基準）としてそれらを混合し、アクリル樹脂溶液Ａを準備した。溶液の固形分は３２質量％であった。次いで、アクリル樹脂溶液Ａを１００質量部と、メチルイソブチルケトン（ＭＩＢＫ）を５０質量部と、セシウムタングステン酸化物を含有する赤外線吸収剤（住友金属鉱山株式会社製の「ＹＭＦ−０２Ａ」）を５．５質量部とを混合し、赤外線吸収性インクを作製した。この赤外線吸収性インクを用いて、矩形を形成したこと以外は、例１と同じ方法で比較例１のライセンスプレートを作製した。赤外線吸収性のマーキング層のイエローの光学濃度を例１と同じ方法で測定した結果、０．２０であった。比較例１のライセンスプレートについて、例１と同じ方法で登録番号の読み取り試験を行ったところ、登録番号を正しく読み取ることができなかった。
【００８８】
［矩形の視認性］
＜例２：非再帰反射式ライセンスプレート＞
Ａｄｏｂｅ  Ｉｌｌｕｓｔｒａｔｏｒ（登録商標）上で、イエロー（Ｙ）の網点面積率を指定して塗った幅２５ｍｍ×高さ２５ｍｍの矩形を、横方向に４５ｍｍ間隔、縦方向に５０ｍｍ間隔で配置した。その上に登録番号「多摩  ５９９  あ  ４２−４９」をブラック（Ｋ）の網点面積率を１００％として描き、ｅｐｓ形式の印刷画像データを生成したこと以外は、例１と同じ方法で例２のライセンスプレートを作製した。作製したライセンスプレートを地上５０ｃｍの高さにおいて地面に対して垂直になるように配置し、板面照度が２００ルクスになるように照明を調整し、プレートから３ｍ及び１０ｍ離れたところから、肉眼（視力１．０）で背景の矩形を判別できるか視認性の試験を行った。ここで、矩形のイエロー（Ｙ）の網点面積率を表１に示すように変更して各矩形の視認性の試験を行った。同時に、背景色を基準とした矩形のイエロー（Ｙ）の光学濃度について、例１と同じ方法で測定し、その結果も表１に示す。
【００８９】
【表１】
2019006313.tif 000003
【００９０】
＜例３：再帰反射式ライセンスプレート＞
３Ｍ（登録商標）スコッチカル（登録商標）グラフィックフィルムＩＪ５３３１に代えて、３Ｍ（登録商標）Ｈｉｇｈ  Ｄｅｆｉｎｉｔｉｏｎ  Ｒｅｆｌｅｃｔｉｖｅ  Ｌｉｃｅｎｓｅ  Ｐｌａｔｅ  Ｓｈｅｅｔｉｎｇ（再帰性反射シート）を使用したこと以外は、例２と同じ方法で例３のライセンスプレートを作製し、矩形の視認性の試験を行った。その結果を表２に示す。
【００９１】
【表２】
2019006313.tif 000004
【００９２】
＜比較例２＞
矩形のインクをイエロー（Ｙ）からマゼンタ（Ｍ）に変更したこと以外は、例２と同じ方法で比較例２のライセンスプレートを作製し、同様に、矩形の視認性の試験を行った。その結果、マゼンタ（Ｍ）の場合は、網点面積率が１０％の矩形であっても、距離１０ｍにおいて矩形が判別可能であった。背景色を基準とした網点面積率１０％の矩形のイエロー（Ｙ）の光学濃度を例１と同じ方法で測定した結果、０．０１であった。
【００９３】
［ロゴの視認性］
＜例４：基材面へのロゴ印刷＞
Ａｄｏｂｅ  Ｉｌｌｕｓｔｒａｔｏｒ（登録商標）上で、図１に示されるような装飾層１４の位置付近に装飾層であるピンクの花柄を複数配置した上に、イエロー（Ｙ）の網点面積率２０％の設定で塗った幅１０ｍｍ×高さ５ｍｍの「３Ｍ」のロゴを４５度傾斜させ、横方向に３５ｍｍ間隔、縦方向にも３５ｍｍ間隔で配置した。その上に登録番号「多摩  ５９９  あ  ４２−４９」をブラック（Ｋ）の網点面積率を１００％として描き、ｅｐｓ形式の印刷画像データを生成したこと以外は、例１と同じ方法で例４のライセンスプレートを作製した。作製したライセンスプレートを地上５０ｃｍの高さにおいて地面に対して垂直になるように配置し、板面照度が２００ルクスになるように照明を調整し、肉眼（視力１．０）で視認性の試験を行ったところ、プレートから距離３ｍの地点ではロゴを視認できたが、距離１０ｍの地点ではロゴは視認できず、花柄の図柄と登録番号のみ視認できた。
【００９４】
＜例５：保護層面へのロゴ印刷＞
Ａｄｏｂｅ  Ｉｌｌｕｓｔｒａｔｏｒ（登録商標）上で、図１に示されるような装飾層１４の位置付近に装飾層であるピンクの花柄を複数配置したｅｐｓ形式の印刷画像データを、株式会社ミマキエンジニアリング製ＪＶ５溶剤インクジェットプリンタ及び純正インクを使って、３Ｍ（登録商標）スコッチカル（登録商標）グラフィックフィルムＩＪ５３３１に印刷画像データの指定色どおりに印刷した。次にイエロー（Ｙ）の網点面積率３０％の設定で塗った幅２２ｍｍ×高さ１２ｍｍの「３Ｍ」のロゴを４５度傾斜させ、横方向に５０ｍｍ間隔、縦方向にも３５ｍｍ間隔で配置し、その上に登録番号「多摩  ５９９  あ  ４２−４９」をブラック（Ｋ）の網点面積率を１００％として描いたｅｐｓ形式の印刷画像データを、株式会社ミマキエンジニアリング製ＪＶ５溶剤インクジェットプリンタ及び純正インクを使って、３Ｍ（登録商標）スコッチカル（登録商標）グラフィックフィルムＲＧ５３３３Ｒに印刷画像データの指定色どおりに印刷した。印刷を施したグラフィックフィルムＩＪ５３３１を幅３３０ｍｍ×高さ１６５ｍｍのアルミニウム板に貼り、さらにその上に印刷を施したグラフィックフィルムＲＧ５３３３Ｒを貼り、余分なグラフィックフィルム部分をカットして例５のライセンスプレートを作製した。例４と同様に視認性の試験を行ったところ、プレートから距離３ｍの地点ではロゴを視認できたが、プレートから距離１０ｍの地点では、ロゴは視認できず、花柄の図柄と登録番号のみ視認できた。
【００９５】
［ＱＲコード（登録商標）の読み取り試験］
＜例６＞
例１における矩形の代わりに、登録番号「多摩  ５９９  あ  ４２−４９」の情報を備える幅２５ｍｍ×高さ２５ｍｍのＱＲコード（登録商標）を配置し、ｅｐｓ形式の印刷画像データを生成し、かつ、ＱＲコード（登録商標）と同じ網点面積率の設定で塗った幅１ｃｍ×高さ１ｃｍの光学濃度測定用の矩形をＱＲコード（登録商標）から１ｃｍ離れた距離に配置したこと以外は、例１と同じ方法で例６のライセンスプレートを作製した。
【００９６】
ｉＰｈｏｎｅ（登録商標）アプリであるＳｉｍｐｌｅＡｃｔ  Ｉｎｃ．社の「ＱｕｉｃｋＭａｒｋ（登録商標）  ＱＲコード（登録商標）スキャナー」をインストールしたｉＰｈｏｎｅ（登録商標）６ｓにより、ＱＲコード（登録商標）の読み取り試験を行った。ここで、ＱＲコード（登録商標）のイエロー（Ｙ）の網点面積率を表３に示すように変更して読み取り試験を行った。同時に、網点面積率を表３に示すように変更した光学濃度測定用の矩形のイエロー（Ｙ）の背景色を基準とした光学濃度について、例１と同じ方法で測定した。これらの結果を表３に示す。
【００９７】
【表３】
2019006313.tif 000005
【００９８】
本発明の基本的な原理から逸脱することなく、上記の実施態様及び実施例が様々に変更可能であることは当業者に明らかである。また、本発明の様々な改良及び変更が本発明の趣旨及び範囲から逸脱せずに実施できることは当業者には明らかである。
【符号の説明】
【００９９】
１０    ライセンスプレート用グラフィックフィルム
１２    基材
１４    装飾層
１５    マーキング層
１６    保護層
１８    接合層
１９    接着層
２０    ライセンスプレート
２２    ベースプレート
２４    識別表示領域
２６    識別表示
【図１】
2019006313.tif 000006
【図２】
2019006313.tif 000007
【図３】
2019006313.tif 000008
【図４】
2019006313.tif 000009
【図５】
2019006313.tif 000010
【図６】
2019006313.tif 000011
【図７】
2019006313.tif 000012